(57)【要約】【課題】製品時の表示品位を忠実に再現し、高精度検査を実現する点灯検査装置を提供することを目的とする。【解決手段】装置本体２に配設されかつディスプレイパネル１に点灯信号を入力するためのパネル点灯回路３２を備えたパネル点灯ユニット３と、装置本体２に配設され装置を駆動させる駆動制御回路７とを有し、前記パネル点灯ユニット３を電気的絶縁材料からなる支持部材４で支持して装置本体２に配設することにより、パネル点灯回路３２を前記駆動制御回路７に対して電気的に絶縁した。【選択図】  図１
2004170679.tif 000002
【特許請求の範囲】
【請求項１】
ディスプレイパネルに点灯信号を入力し、表示される画質を検査するための点灯検査装置において、装置本体に配設されかつ前記ディスプレイパネルに点灯信号を入力するためのパネル点灯回路を備えたパネル点灯ユニットと、装置本体に配設され装置を駆動させる駆動制御回路とを有し、前記パネル点灯ユニットのパネル点灯回路を前記駆動制御回路に対して電気的に絶縁したことを特徴とするディスプレイパネルの点灯検査装置。
【請求項２】
パネル点灯ユニットは導電性のシャーシにパネル点灯回路を配置することにより構成するとともに、前記パネル点灯回路を前記シャーシに接地し、かつ前記シャーシを装置本体に電気的に絶縁して取り付けることによりパネル点灯ユニットを装置本体に配設した請求項１に記載のディスプレイパネルの点灯検査装置。
【請求項３】
シャーシを支持する支持部材を電気的絶縁材料により構成した請求項２に記載のディスプレイパネルの点灯検査装置。
【請求項４】
シャーシの一部を電気的絶縁材料により構成し、その絶縁部分を支持部材により支持して装置本体に取り付けた請求項２に記載のディスプレイパネルの点灯検査装置。
【発明の詳細な説明】
【０００１】
【発明の属する技術分野】
本発明は、液晶ディスプレイやプラズマディスプレイなどのディスプレイパネルに駆動回路を組み合わせる前に、ディスプレイパネルに点灯信号を入力して表示し、画質検査を行うディスプレイパネルの点灯検査装置に関する。
【０００２】
【従来の技術】
一般に、液晶ディスプレイやプラズマディスプレイなどのディスプレイパネルはパネルに駆動回路が実装され製品化される。製造工程では、実装工程への不良パネルの流出を防ぐため、駆動回路実装前に点灯信号を入力し、点灯検査を行っている。
【０００３】
この種のディスプレイパネルの点灯検査装置として、検査用プローブピンを用いたもの（特許文献１参照）が知られているが、この検査用プローブピンに代えて、フレキシブルプリント回路（ＦＰＣ）に形成した電極を点灯検査用のプローブとして用いることも考えられている。
【０００４】
【特許文献１】
特許第２９５３０３９号公報
【０００５】
【発明が解決しようとする課題】
一般に、ＦＰＣを点灯検査用のプローブとして用いる検査方法においては、このようなディスプレイパネルの引出し電極に、ＦＰＣからなる点灯検査用のプローブの取出し電極を接触させ、このプローブを通してディスプレイパネルにパネル点灯回路から点灯信号を入力し、点灯させることにより画質の検査を行っている。また、従来の点灯検査装置においては、プローブとパネル点灯回路とをＦＰＣなどにより配線を行っている。
【０００６】
しかしながら、このような従来の構成において、点灯検査装置を駆動させるために駆動制御回路を動作させることにより、ディスプレイパネルに入力されるパネル点灯信号の駆動波形に歪が発生したり、ノイズが重畳し、製品時の表示品位が再現できず、検査精度が低くなり、後工程への不良パネルの流出を招いてしまっていた。
【０００７】
本発明は、このような課題に鑑みなされたもので、製品時の表示品位を忠実に再現し、高精度検査を実現する点灯検査装置を提供することを目的とする。
【０００８】
【課題を解決するための手段】
上記課題を解決するために本発明は、装置本体に配設されかつディスプレイパネルに点灯信号を入力するためのパネル点灯回路を備えたパネル点灯ユニットと、装置本体に配設され装置を駆動させる駆動制御回路とを有し、前記パネル点灯ユニットのパネル点灯回路を前記駆動制御回路に対して電気的に絶縁したものである。
【０００９】
【発明の実施の形態】
すなわち、本発明の請求項１に記載の発明は、ディスプレイパネルに点灯信号を入力し、表示される画質を検査するための点灯検査装置において、装置本体に配設されかつ前記ディスプレイパネルに点灯信号を入力するためのパネル点灯回路を備えたパネル点灯ユニットと、装置本体に配設され装置を駆動させる駆動制御回路とを有し、前記パネル点灯ユニットのパネル点灯回路を前記駆動制御回路に対して電気的に絶縁したことを特徴とする。
【００１０】
また、請求項２に記載の発明は、請求項１において、パネル点灯ユニットは導電性のシャーシにパネル点灯回路を配置することにより構成するとともに、前記パネル点灯回路を前記シャーシに接地し、かつ前記シャーシを装置本体に電気的に絶縁して取り付けることによりパネル点灯ユニットを装置本体に配設したものである。
【００１１】
さらに、請求項３に記載の発明は、請求項２において、シャーシを支持する支持部材を電気的絶縁材料により構成したものであり、また請求項４に記載の発明は、請求項２において、シャーシの一部を電気的絶縁材料により構成し、その絶縁部分を支持部材により支持して装置本体に取り付けたものである。
【００１２】
以下、本発明の一実施の形態によるディスプレイパネルの点灯検査装置について、図１〜図５の図面を用いて説明する。
【００１３】
図１に本発明の一実施の形態による点灯検査装置の全体構成を示し、図２にその要部構成を示し、図３にその電気的概略構成を示している。図１において、１はプラズマディスプレイパネルなどのディスプレイパネルで、このディスプレイパネル１の周辺端部には、電極を延長することにより形成された複数の引出し電極を有する電極端子ブロックが複数配置されている。
【００１４】
２は金属製の装置本体、３はこの装置本体に配設されたパネル点灯ユニットで、このパネル点灯ユニット３は、導電性のシャーシ３１に前記ディスプレイパネル１に点灯信号を入力するためのパネル点灯回路３２を配設することにより構成されており、そしてパネル点灯回路３２はシャーシ３１に接地されている。すなわち、図２に示すように、パネル点灯回路３２の各回路基板をシャーシ３１の所定の位置に導電性のビスで固定することにより、各回路基板の回路はシャーシ３１の接地電位になっている。
【００１５】
また、図示していないが、このパネル点灯ユニット３には、ディスプレイパネル１の電極端子ブロックとパネル点灯回路３２とを接続するための複数の接触子が設けられており、この接触子を介してディスプレイパネル１とパネル点灯回路３２とが接続され、ディスプレイパネル１に点灯信号が供給される。さらに、このパネル点灯ユニット３は、前記装置本体２に電気的絶縁材料からなる支持部材４で支持して装置本体２に配設されている。この支持部材４は、図２に示すように、パネル点灯ユニット３の４個所を支持している。
【００１６】
５は前記ディスプレイパネル１を装置本体２上で支持するためのパネル支持機構部で、このパネル支持機構部５は支持機構駆動部６に接続され、支持機構駆動部６を動作させることにより、ディスプレイパネル１を支持したパネル支持機構部５が動作し、ディスプレイパネル１が図１の矢印方向に上下動させることができる。なお、ディスプレイパネル１をパネル支持機構部５により下降させた後、図示していない接続制御機構によりディスプレイパネル１の電極端子ブロックにパネル点灯ユニット３の接触子を押付けて電気的に接触させることにより、ディスプレイパネル１とパネル点灯回路３２とが接続される。
【００１７】
ここで、上記構成の点灯検査装置の電気的接地経路を図３に示しており、この図３に示すように、装置本体２には、装置を駆動させる駆動制御回路７と、前記パネル点灯回路３２に電圧を印加するための直流電源装置８が配設されており、そしてパネル点灯回路３２の接地経路９は導電性のシャーシ３１に接続され、駆動制御回路７の接地経路１０は装置本体２に接続され、導電性のシャーシ３１と装置本体２は電気的に絶縁されている。なお、１１は直流電源装置８の接地経路である。
【００１８】
以下、上記構成の点灯検査装置の動作について説明する。図１において点灯検査すべきディスプレイパネル１をパネル支持機構部５に装着し、位置合わせを行った後、パネル支持機構部５が下方向へ移動することによりディスプレイパネル１が装置本体２と絶縁されたシャーシ３１と接触する。点灯検査する場合、パネル点灯ユニット３の接触子をディスプレイパネル１の電極端子ブロックに接触させ、点灯信号を入力することにより行う。また、図３に示すように、接地経路１０は、装置本体２に接続され、シャーシ３１と装置本体２は絶縁されてシャーシ３１はパネル点灯回路３２の接地電位になっているため、駆動制御回路７の接地電位とパネル点灯回路３２の接地電位は、異なる電位になり、相互干渉することはない。さらに、装置本体２が周囲から受ける電磁波ノイズが、シャーシ３１を介して、パネル点灯回路３２の接地電位に影響を与えることも回避できる。
【００１９】
図４、図５に本発明の他の実施の形態による点灯検査装置の全体構成と要部構成を示しており、この実施の形態においては、シャーシの一部を電気的絶縁材料により構成し、その絶縁部分を支持部材により支持して装置本体に取り付けることにより、シャーシを装置本体に電気的に絶縁して取り付けたものである。なお、図４、図５において、１２はシャーシ３１に配設した絶縁体で、シャーシ３１内に埋設されている。１３はその絶縁体１２を配設した部分でシャーシ３１を支持する金属製の支持部材で、前記絶縁体１２は、支持部材１３のシャーシ３１に当接する面積よりも大きく設計されている。
【００２０】
すなわち、この実施の形態においても、パネル点灯回路３２を前記シャーシ３１に接地し、かつ前記シャーシ３１を装置本体２に電気的に絶縁して取り付けることによりパネル点灯ユニット３を装置本体２に配設しており、シャーシ３１はパネル点灯回路３２の接地電位になり、駆動制御回路７の接地電位とパネル点灯回路３２の接地電位は異なる電位になっているため、相互干渉することがなく、また装置本体２が周囲から受ける電磁波ノイズが、シャーシ３１を介して、パネル点灯回路３２の接地電位に影響を与えることも回避できる。また、上記実施の形態と比較して、機械的強度が要求される装置本体に異種材料を使用しなくてもよいため、装置の剛性を再考して再設計する必要もなくなる。
【００２１】
【発明の効果】
以上のように本発明によれば、ディスプレイパネル点灯時に点灯検査装置自体および周囲からの電気的雑音を回避できるので、製品としての駆動波形と同等の波形を印加することができ、表示品位を忠実に再現することができる。これにより検査精度を向上させ、後工程への不良パネルの流出が防止でき、製造工程でのロスコストを大幅に低減することが可能である。
【図面の簡単な説明】
【図１】本発明の一実施の形態におけるディスプレイパネルの点灯検査装置の全体構成を示す概略構成図
【図２】同装置の要部構成を示す平面図
【図３】同装置の電気的構成を示す概略構成図
【図４】本発明の他の実施の形態におけるディスプレイパネルの点灯検査装置の全体構成を示す概略構成図
【図５】同装置の要部構成を示す平面図
【符号の説明】
１  ディスプレイパネル
２  装置本体
３  パネル点灯ユニット
４、１３  支持部材
７  駆動制御回路
９、１０  接地経路
１２  絶縁体
３１  シャーシ
３２  パネル点灯回路
【図１】
2004170679.tif 000003
【図２】
2004170679.tif 000004
【図３】
2004170679.tif 000005
【図４】
2004170679.tif 000006
【図５】
2004170679.tif 000007